(57)【要約】【課題】本発明の目的は、ＶＭ変調装置の感度を改善し、同時にＶＭ変調装置から発生する漏洩磁界や電界等のノイズを低減し、消費電力の低減を実現出来る技術手段を提供するものである。【解決手段】走査ビーム速度変調を行う速度変調コイルの外周の一部又は全周を、２ＭＨｚの初透磁率が１０以上の材量で覆った速度変調装置を前記補助偏向ヨークのカソード側に具備した事を特徴にした陰極線管装置及びテレビジョン受像機。【選択図】  図１
2004200089.tif 000002
【特許請求の範囲】
【請求項１】
静電収束で構成された電子銃を備えた陰極線管と、
該陰極線管に取付けられて電子ビームの主偏向を行う主偏向ヨークと、歪補正を行う補助偏向ヨークと、を管軸方向に対し各々を個別に具備した陰極線管装置において、
走査ビーム速度変調を行う速度変調コイルの外周の一部又は全周を、２ＭＨｚの初透磁率が１０以上の材料で覆った速度変調装置を前記補助偏向ヨークのカソード側に具備したことを特徴とする陰極線管装置。
【請求項２】
請求項１に記載の速度変調装置において、前記速度変調コイルはサドル型であることを特徴にした陰極線管装置。
【請求項３】
静電収束で構成された電子銃を備えた陰極線管と、
該陰極線管に取付けられて該電子ビームの主偏向を行う主偏向ヨークと、歪補正を行う補助偏向ヨークとを管軸方向に対し別々に具備した陰極線管装置において、
走査ビーム速度変調を行う速度変調コイルがトロイダル型に巻回され、該速度変調コイルに適用するコアは２ＭＨｚの初透磁率が１０以上の材料から成る速度変調装置を前記補助偏向ヨークのカソード側に具備したことを特徴とする陰極線管装置。
【請求項４】
静電収束で構成された電子銃を備えた電子銃と該電子ビームを偏向する偏向ヨークを備えた陰極線管において、
走査ビーム速度変調を行う速度変調コイルの外周の一部又は全周を、２ＭＨｚの初透磁率が１０以上の材量で覆った速度変調装置を前記主偏向ヨークのカソード側に具備したことを特徴とする陰極線管装置。
【請求項５】
静電収束で構成された電子銃を備えた電子銃と該電子ビームを偏向する偏向ヨークを備えた陰極線管において、
走査ビーム速度変調を行う速度変調コイルがトロイダル型に巻回され、該速度変調コイルに適用するコアは２ＭＨｚの初透磁率が１０以上の材料から成る速度変調装置を前記補助偏向ヨークのカソード側に備えてなることを特徴とする陰極線管装置。
【請求項６】
請求項１ないし請求項５のいずれかに記載の前記材料をX軸に対し速度変調コイルを１５度以上覆った事を特徴にした陰極線管装置。
【請求項７】
請求項１ないし請求項５のいずれかに記載の陰極線管装置において、前記材料と２極、４極又は６極マグネット装置との間隔を６ｍｍ以上離して配置したことを特徴とする陰極線管装置。
【請求項８】
請求項１ないし請求項７のいずれかに記載の速度変調装置に具備する初透磁率が１０以上の前記材料は、磁性材料と樹脂との混合材で構成されていることを特徴とする陰極線管装置。
【請求項９】
請求項１ないし請求項８のいずれかに記載の陰極線管装置を具備したことを特徴とするテレビジョン受像機。
【発明の詳細な説明】
【０００１】
【発明の属する技術分野】
本発明は、静電収束のみで構成した電子銃を備え、走査ビーム速度変調を行う速度変調（以下、「ＶＭ」という）コイルを具備した陰極線管装置に係わり、特にＶＭコイルの高感度及びＶＭコイルからの漏洩磁界の抑圧に関する発明である。
【０００２】
【従来の技術】
本発明に近い従来例として、ＶＭ装置は特許文献１の図１乃至図３、図９で示すようにプラスチック等のモールド材から成るＶＭコイルを保持するボビンと、矩形形状をしたＶＭコイル本体と、又は特許文献２の図３で示すようにＶＭコイルの外周に２極、４極、６極コンバージェンスマグネットと、又は特許文献３の図３、図４で示すようにＶＭコイルの感度向上を目的としてプリントコイル等から成る構成であった。
【０００３】
【特許文献１】
特開平１０−２５５６８９号公報
【特許文献２】
特開９−１８２０９８号公報
【特許文献３】
特開平８−５０８６８号公報
【０００４】
【発明が解決しようとする課題】
通常ＶＭコイルの働きは、ビデオ信号の強弱に一致して電子ビームの主に水平方向に偏向走査速度を変化させ画面の鮮明度を向上させる事が主である。従って、ＶＭ装置はビデオ周波数をカバーする広帯域の動作を可能とする必要がある。更に、ＶＭコイルは電子銃上に配置される為、電子銃の渦電流の影響を受け実効感度が劣化する問題点があった。又、ＶＭ装置は大電力広帯域駆動を行っている為、消費電力が比較的大きく不要な漏洩磁界や漏洩電界が発生し、これらノイズが大きな問題となっていた。
【０００５】
本発明の目的は、極めて簡易な構成で上述した問題点を解決するものであり、ＶＭ変調装置の感度を改善し、同時にＶＭ変調装置から発生する漏洩磁界や電界等のノイズを低減し、消費電力の低減を図った技術手段を提供するものである。
【０００６】
【課題を解決するための手段】
上記目的を達成するために本発明は、走査ビーム速度変調を行うＶＭコイルの外周の一部又は全周を、２ＭＨｚの初透磁率が１０以上の材量で覆ったＶＭ装置を偏向ヨークのカソード側に具備し、又は、走査ビーム速度変調を行うＶＭコイルがトロイダル型に巻回され、該ＶＭコイルに適用するコアは２ＭＨｚの初透磁率が１０以上の材料から成るＶＭ装置を前記補助偏向ヨークのカソード側に具備したことを特徴にしている。
【０００７】
【発明の実施の形態】
以下、本発明の実施形態を説明する。本発明のＶＭ装置の実施例について、図１から図３を用いて説明する。図１は、本発明による実施例１の陰極線管装置の概略側面図であり、図２は、図１に示すＡ-Ａ'概略断面図を、図３は本発明のＶＭ装置の主要部側面図を示す。図１〜図４において、1は陰極線管装置、２は陰極線管、３は偏向ヨーク、４はコンバーゼンスヨーク、５はＶＭ装置、６は電子銃であり、電子銃６は単ビームを放射し、電極間の電位差でビームを収束させる静電収束方式からなり、蛍光面側からカソード側に向かって偏向ヨーク３、歪補正を主目的に行うコンバーゼンスヨーク４、ＶＭ装置５の順序に管軸方向に対し各々を個別に配置している。偏向ヨーク３には、図示していないが水平又は垂直方向に走査する偏向コイルと、初透磁率が３００以上の高透磁率磁性材からなるコアを具備している。同様に、コンバーゼンスヨーク４には、図示していないが水平又は垂直方向に走査するコンバーゼンスコイルと初透磁率が３００以上の高透磁率磁性材からなるコアを具備している。又、図１で示すようにＶＭ装置５は、ネック管２１上のコンバーゼンスヨーク４よりカソード側に位置し、図２、図３で示すようにＶＭコイル５１はサドル型又は矩形形状となっており、ＶＭコイル５１の外周の一部又は全周を磁性材を含有した磁性材料５２を配置している。
【０００８】
図５は図３で示した本発明の実施例の実測結果を示した図であり、縦軸は磁性材料５２が存在し無い時のＶＭコイルの電力指数を１とした場合の相対ＶＭコイルの電力指数を示しており、横軸は２ＭＨｚにおける磁性材料５２の初透磁率の値を示す。ここでＶＭコイルの電力指数とは、管面上でビームスポットを０．５ｍｍ偏向させるに必要なＶＭコイル５１の電流（Ｉ）と、ＶＭコイル５１のインダクタンスを（Ｌ）とした場合、Ｌ・Ｉ２の値である。図５において、目視評価上、相対ＶＭコイルの電力指数（Ｐ）が５％改善すると、例えば４２型投射型ＴＶにおいて鮮鋭度の改善効果が確認出来る。従って図５の実測結果より、初透磁率の値が１０以上とすれば鮮鋭度改善確認レベル以上と出来る事が明かとなった。図５には初透磁率が５０未満のデータを示すが、当然初透磁率が５０以上の場合であってもよい。
【０００９】
図６では図４で示した磁性材料５２の取付け角度（θ）に対する相対ＶＭコイルの電力指数を実測し、その結果を図示たものである。図６の実測結果より、鮮鋭度改善確認可能レベルを満足するには、磁性材料５２の取付け角度（θ）を１５°以上とすれば良い事がわかる。又、図３において磁性材料５２のZ方向の取付け位置がＶＭコイル５１の中心である必要は無く、片方にずれていても良い。又図４では、磁性材料５２はX軸に対し左右一対に配置しているが、ニ対以上の磁性材料５２から構成されて配置しても良い。
【００１０】
図７は、本発明による他の実施例の陰極線管装置の概略A―A´断面図であり、図２と同一番号を付しているものは同様な働きを有する。図７で示す本発明の特長はＶＭコイル５１を磁性材料５２に対しトロイダルに巻回している事である。図７ではＶＭコイル５１は磁性材料５２に対しほぼ全周に配置しているが、ＶＭコイル５１の配置は全周である必要は無く、Ｘ軸に対し角度θをもって配置しても良く、又ＶＭコイル５１の分布は中抜き分布でも良い。特にインダクタンスＬの値は駆動回路の電圧限界値の条件から、大きくは出来ない事と１ターン当たりのＬの値が大きい為に、Ｌの微調整が難しい点がある。上述のＶＭコイル５１を角度θに対し適切な分布に配置すれば、巻数を同一にしてもＬの微調整が可能である。上述した本発明の磁性材料５２は例えばソフトフェライト材とこれらを接着させる非磁性材の混合物で構成されていても良い。この場合、複雑な形状が容易に安価に得られ、又例えばゴム系の樹脂等の非磁性材とすればフレキシブルな材質が得られ、湾曲した形状の磁性材料５２を容易に実現出来る長所を有する。又同様に、図７の磁性材料５２は全周を覆っているが、完全に覆う必要は無く、角度θを持った形状であっても良い。
【００１１】
上述した本発明により、VM装置５より放射する漏洩磁界又は漏洩電界が磁性材料５２により遮蔽される為に、陰極線管装置１より放射するノイズを大幅に軽減出来る長所も有する。上述した発明の陰極線管装置１は単ビームを放射する例えば投射管等の構成であったが、陰極線管装置１は例えばカラーブラウン管等の複数の電子ビームを放射する静電収束電子銃を備えた電子銃と該電子ビームを偏向する偏向ヨークで構成する陰極線管装置であっても同様な効果を有する事は言うまでも無い。
【００１２】
図８はビームのアライメントやビーム形状の調整を行う事を目的とした２極、４極、又は６極マグネットで構成するマグネット装置７を本発明のVM装置５の近傍に配置した場合の本発明の実施例を示す。この場合マグネット装置７から発生する補正磁界が磁性材料５２により遮蔽される為に、マグネット装置７からの補正量が低減する。図９は図８で示した本発明の実施例の場合であり、マグネット装置７と磁性材料５２の間隔（LG）とマグネット装置７の２極マグネットの蛍光面上での相対ビーム移動量の関係を示した特性図である。縦軸は磁性材料５２が存在しない場合の２極マグネットの蛍光面上でのビーム移動量で正規化しており、０．９５以上の値であれば実用上問題は無い。この特性結果より、マグネット装置７と磁性材料５２の間隔（LG）を６ｍｍ以上とすれば良い事が明らかとなった。この特性図はマグネット装置７がカソード側に存在する場合であったが、マグネット装置７が蛍光面側に存在する場合であっても同様な事がいえる。以上は、ＶＭ装置の働きは、ビームを主に水平方向に偏向する事が主であったが、上述した本発明のＶＭ装置を９０度回転させビームを垂直方向に偏向させても同様な効果がある。又、上述した本発明の陰極線管装置を投射型テレビジョン受像機又は直視型テレビジョン受像機に適用する事が可能であり、特にハイビジョン受像機や省電力型受像機には有効である。
【００１３】
【発明の効果】
以上説明したように本発明によれば、極めて簡易な構成でＶＭ変調装置の感度を改善し、同時にＶＭ変調装置から発生する漏洩磁界や電界等のノイズを低減し、消費電力の低減を実現出来るVM装置および陰極線管装置及びテレビジョン受像機を得ることができる。
【図面の簡単な説明】
【図１】本発明の陰極線管装置の概略側面図。
【図２】本発明の陰極線管装置の概略Ａ-Ａ'断面図。
【図３】本発明のVM装置の側面図
【図４】本発明の陰極線管装置の概略Ａ-Ａ'断面図。
【図５】本発明のVM装置の特性図。
【図６】本発明のVM装置の特性図。
【図７】本発明の他の実施例の概略Ａ-Ａ'断面図。
【図８】本発明の他の実施例の概略側面図。
【図９】図８の他の実施例の特性図。
【符号の説明】
１  陰極線管装置、２  陰極線管、２１  ネック管、２２  電子銃、３  偏向ヨーク、４  コンバーゼンスヨーク、５  ＶＭ装置、５１  ＶＭコイル、５２  磁性材料、６  電子銃、７  マグネット装置
【図１】
2004200089.tif 000003
【図２】
2004200089.tif 000004
【図３】
2004200089.tif 000005
【図４】
2004200089.tif 000006
【図５】
2004200089.tif 000007
【図６】
2004200089.tif 000008
【図７】
2004200089.tif 000009
【図８】
2004200089.tif 000010
【図９】
2004200089.tif 000011